(57)【要約】【課題】使用者が簡単且つ確実に排出口を形成して容器本体部内の調味料を排出することができ、しかも、粘度の高い調味料であっても、使用者の手を汚すことなく、片手で簡単に排出することができる安価な調味料容器を提供する。【解決手段】筒状に形成されたノズル部１と、当該ノズル部１の基端に一体形成された収縮自在な容器本体部２と、から成る調味料容器Ａであって、前記ノズル部１の先端には、当該先端を塞ぐ閉止部１１が一体形成されると共に、前記ノズル部１の外周面には、内側に凹んだ切欠部１２が周方向に形成されている。【選択図】図１
2011178441.tif 000002
【特許請求の範囲】
【請求項１】
筒状に形成されたノズル部と、当該ノズル部の基端に一体形成された収縮自在な容器本体部と、から成る調味料容器であって、
前記ノズル部の先端には、当該先端を塞ぐ閉止部が一体形成されると共に、前記ノズル部の外周面には、内側に凹んだ切欠部が周方向に形成されたことを特徴とする調味料容器。
【請求項２】
閉止部には、外方に向けて把持片が延設されたことを特徴とする請求項１に記載の調味料容器。
【請求項３】
請求項１又は２に記載の調味料容器２つが分離可能に連結されたことを特徴とする調味料容器。
【請求項４】
容器本体部は、ノズル部の軸方向へ収縮可能な蛇腹状に形成されたことを特徴とする請求項１〜請求項３の何れか１項に記載の調味料容器。
【発明の詳細な説明】
【技術分野】
【０００１】
本発明は、醤油・ソース・マヨネーズ・ケチャップ等の調味料が充填された調味料容器に関する。
【背景技術】
【０００２】
一般に、弁当や持ち帰り食材等には、醤油・ソース・マヨネーズ・ケチャップ等の調味料が充填された小さな調味料容器が添えられている。
【０００３】
このような調味料容器は、１つの排出口を設けて箱状又は袋状に形成された合成樹脂製の容器本体と、前記排出口に螺合される蓋体とからなり、前記容器本体内には、例えば、醤油・ソース・マヨネーズ・ケチャップ等の調味料が充填されている（例えば、特許文献１参照。）。
【０００４】
そして、食事の際などに前記調味料が必要な場合には、前記蓋を回転して取り外し、前記排出口を解放したうえで、使用者が前記容器本体の側壁方向を指で押し潰すと、当該容器本体の容積が減少されると共に、内部圧力が高められるために、前記調味料が容器本体の排出口から排出される。
【０００５】
また、他の調味料容器として、合成樹脂製フィルムを密閉された袋状に形成し、その内部に前記調味料が充填されたものも知られている（例えば、特許文献２参照。）。
【０００６】
このような袋状の調味料容器の一部には、外周縁の適所に切欠部が形成されており、この切欠部の付近を摘んで、前記合成樹脂製フィルムを破断すれば、当該調味料容器の端部に開口部が形成され、この開口部を通じて、内部の調味料が排出される。
【先行技術文献】
【特許文献】
【０００７】
【特許文献１】特開２００６−２４０６６３号公報
【特許文献２】特開２００５−１０３８７０号公報
【発明の概要】
【発明が解決しようとする課題】
【０００８】
しかしながら  前者の調味料容器では、容器本体と蓋体を、別々に成形しなければならないため、製造が複雑であるうえ、コストが高くなるという問題があった。
【０００９】
また、例えば、とんかつソース・ケチャップ・マヨネーズ等のような粘度の高い調味料を排出する場合には、当該調味料を上手く排出できないという問題もあった。
【００１０】
すなわち、前記調味料容器は、蓋を開放して容器本体内の調味料を排出するものであるが、例えば、とんかつソース・ケチャップ・マヨネーズ・味噌等のように粘度の高い調味料の場合には、前記容器本体の側壁を指で内側に押圧して排出することになる。
【００１１】
そのため、容器本体の押圧された部分（容器本体が窪んだ部分）の排出口側に充填されている調味料だけが排出され、それ以外の調味料が排出されずに残留されて、調味料をスムーズに排出し難いという問題があった。
【００１２】
一方、後者の調味料容器の場合には、合成樹脂製フィルムを指で挟んで前記開口部に向けて搾り出すことができるため、前記のような粘度の高い調味料であってもスムーズに排出することができる。
【００１３】
しかしながら、この調味料容器では、前記切欠部の付近を摘んで、前記合成樹脂製フィルムを破断する際、前記排出口が上手く破断できない場合があり、一旦、切欠部を上手く破断できなければ、鋏などで再度排出口を切断して当該排出口を形成しなければならず、却って不便な場合がある。
【００１４】
また、前記排出口が開設された後は、前記合成樹脂製フィルムの端部を一方の手で摘みながら、他方の指で当該合成樹脂製フィルムを挟んで搾り出すことになるため、両手を使って作業しなければならない。
【００１５】
そのため、使用者は、調味料の残量が少なくなるにつれて、前記排出口付近まで搾り出すことになり、使用者の手に前記調味料が付着して、使用者の手が汚れてしまうという恐れもあった。
【００１６】
しかも、使用者は、両手を使って調味料を搾り出すために、作業性が悪いという問題もある。
【００１７】
本発明は、かかる課題を解決することを目的とし、使用者が簡単且つ確実に排出口を形成して容器本体部内の調味料を排出することができ、しかも、粘度の高い調味料であっても、使用者の手を汚すことなく、片手で簡単に排出することができる安価な調味料容器を提供する。
【課題を解決するための手段】
【００１８】
上記課題を解決するために、本発明の調味料容器は、筒状に形成されたノズル部と、当該ノズル部の基端に一体形成された収縮自在な容器本体部と、から成る調味料容器であって、前記ノズル部の先端には、当該先端を塞ぐ閉止部が一体形成されると共に、前記ノズル部の外周面には、内側に凹んだ切欠部が周方向に形成されたことを特徴にしている。
【００１９】
本発明では、ノズル部の先端は、閉止部で塞がれているので、容器本体部内の調味料が誤って弁当内に排出されることを防止できるうえ、使用時には、使用者が前記切欠部に沿って破断するだけで、確実に排出口を形成することができる。
【００２０】
そのため、使用者は、鋏等を使わなくても簡単且つ確実に容器本体部に排出口を開設できるので、手間がいらず便利である。
【００２１】
しかも、前記調味料は、筒状のノズル部の先端から排出されるので、当該調味料を所望の位置に目掛けて確実に排出することができる。
【００２２】
また、前記ノズル部の先端を塞ぐ閉止部が、当該ノズル部と一体形成されているので、本発明の調味料容器は、一組の金型だけで容易に製造することができ、製造コストを安価に抑えることができる。
【００２３】
更に、前記容器本体部は、収縮自在な素材で形成されているため、使用時には、使用者が前記容器本体部の側壁方向を指で押し潰すだけで、当該容器本体部の内部圧力が高められて、前記調味料をノズル部先端の排出口から排出できる。
【００２４】
そのため、使用者は、前記排出口付近にまで手を移動させる必要がないので、当該使用者の手を汚す恐れがなく、片手で簡単に調味料を排出できる。
【００２５】
また、本発明の前記閉止部には、外方に向けて把持片が延設されたことを特徴にしている。
【００２６】
そのため、使用時には、使用者が前記把持片を掴んで、前記ノズル部の軸方向と略直交する方向（せん断する方向）に加圧するだけで、前記切欠部に沿って確実に破断されるので、使用者は、より簡単且つ確実に前記排出口を形成することができる。
【００２７】
また、本発明は、前記の調味料容器２つが分離可能に連結されたことを特徴にしている。
【００２８】
すなわち、本発明では、前記の調味料容器２つが連結して一体形成され、この連結部分が分離可能に形成された調味料容器を提案している。
【００２９】
そのため、本発明の調味料容器では、例えば、同種類の調味料又は異なる２種類の調味料を夫々の容器本体部内に充填することができる。
【００３０】
例えば、本発明の夫々の容器本体部内に同種類の調味料を充填しておけば、２倍の調味料を保有できるので、使用者の好みに応じた量の調味料を排出することができる。
【００３１】
また、本発明の夫々の容器本体部内に異なる２種類の調味料を充填しておけば、使用者の好みの種類に応じた調味料を選択して排出することができる。
【００３２】
そして、本発明では、調味料容器２つが連結部分で分離可能にされているので、使用者は、前記連結部分を破断するなどして、使用時には、夫々の調味料容器に分離したうえで使用することもできる。
【００３３】
更に、本発明では、前記容器本体部は、ノズル部の軸方向へ収縮可能な蛇腹状に形成されたことを特徴にしている。
【００３４】
具体的には、前記容器本体部の側壁は、前記ノズル部の軸方向へ収縮可能な蛇腹状に形成するのが好ましい。
【００３５】
そのため、本発明の調味料容器は、容器本体部の底部を押圧すれば、側壁が収縮されると共に、当該容器本体部内の圧力が高められて、充填された調味料がノズルの排出口から強制的に排出される。
【００３６】
特に、前記調味料が、例えば、とんかつソース・ケチャップ・マヨネーズ・味噌等のような粘度の高い調味料の場合には、前記底部を片手で押圧するだけで、当該容器本体内に残存することなく、最後まで確実に排出することができるため効果的である。
【発明の効果】
【００３７】
本発明に係る調味料容器によれば、使用者が簡単且つ確実に排出口を形成して容器本体部内の調味料を排出することができ、特に、粘度の高い調味料であっても、使用者の手を汚すことなく、片手で簡単に排出することができるうえ、安価に製造できる。
【図面の簡単な説明】
【００３８】
【図１】本発明の一実施形態を示した調味料容器Ａの正面図である。
【図２】図１の調味料容器Ａをａ−ａ線で切断した状態の断面図である。
【図３】本発明の他の実施形態を示した調味料容器Ｂの正面図である。
【図４】図３の調味料容器Ｂをｂ−ｂ線で切断した状態の断面図である。
【図５】本発明の更に他の実施形態を示した調味料容器Ｃの斜視図である。
【図６】図５の調味料容器Ｃをｃ−ｃ線で切断した状態の断面図である。
【図７】図６の点線で囲まれた部分の拡大断面図である。
【図８】調味料容器Ｃの使用状態図である。
【図９】本発明の更に他の実施形態を示した調味料容器Ｄの斜視図である。
【図１０】図９の調味料容器Ｄをｄ−ｄ線で切断した状態の断面図である。
【図１１】本発明の更に他の実施形態を示した調味料容器Ｅの斜視図である。
【図１２】図１１の調味料容器Ｅをｅ−ｅ線で切断した状態の断面図である。
【発明を実施するための形態】
【００３９】
以下、本発明の一実施形態を図面に基づいて説明する。
【００４０】
図１は、本発明の一実施形態を示した調味料容器Ａの正面図であり、図２は、図１の調味料容器Ａをａ−ａ線で切断した状態の断面図である。
【００４１】
なお、図１、図２において共通する部位には、同一の符号を付して、重複する説明については省略している。
【００４２】
本実施形態の調味料容器Ａは、ノズル部１と容器本体部２とから構成されている。
【００４３】
ノズル部１は、筒状に形成されており、このノズル部１の先端には、当該先端の開口を塞ぐように閉止部１１が一体形成されている。
【００４４】
また、閉止部１１の形状は限定されないが、本実施形態の閉止部１１には、更に先方に向けて一体形成された板状の把持片３が延設されており、このような把持片３を設けておけば、使用者が掴み易いため、好ましい。
【００４５】
そして、閉止部１１の僅かに基端側に位置されるノズル部１の外周面には、内側に凹んだ切欠部１２が周方向に形成されている。
【００４６】
そのため、切欠部１２は、ノズル部１の先端側の壁面を薄肉に形成しているので、ノズル部１の先端付近に負荷を受けた場合には、最初に切欠部１２が破断されて、ノズル部１の先端が開口される。
【００４７】
一方、容器本体部２は、前記ノズル部１の基端に一体形成されており、具体的には、PP（ポリプロピレン）、PE（ポリエチレン）、PS（ポリスチレン）等のプラスチック材を袋状に形成している。
【００４８】
そして、この容器本体部２の内部には、既存の手段によって、例えば、ソース・しょうゆ・ケチャップ・マヨネーズ等のような液状或いは流動状の調味料Ｓが充填されている。
【００４９】
このように形成された本実施形態の調味料容器Ａは、以下の要領で使用する。
【００５０】
先ず、弁当等に添えられた本実施形態の調味料容器Ａを取り出し、ノズル部１先端の把持部３を指で摘んで、ノズル部１の軸方向と略直交する方向に負荷をかければ、切欠部１２の一部が破断されると共に、当該切欠部１２に沿って周方向に破断され、やがて、把持部３及び閉止部１１は、ノズル部１から分離されて、当該ノズル部１の先端が開口し、排出口が形成される。
【００５１】
そして、容器本体部２を片手で摘んで、ノズル部１の先端を所望の位置に向け、当該容器本体部２を外部から指で内側に押圧すれば、当該容器本体部２が収縮されて容積が減少して、内部に充填されている調味料Ｓが、ノズル部１の先端から排出される。
【００５２】
一方、この収縮された状態から前記押圧を解除すれば、容器本体部１の弾性復元力によって、前記容積が元の状態に復元されて調味料Ｓの排出が止まる。
【００５３】
前述の通り、本実施形態の調味料容器Ａによれば、使用者が把持部３を指で摘んで、ノズル部１の軸方向と略直交する方向に負荷をかけるだけで、切欠部１２に沿ってスムーズに破断され、ノズル部１の先端に排出口を確実に形成することができる。
【００５４】
そのため、使用者は、鋏等を使わなくても容器本体部１内に充填された調味料Ｓを料理等に簡単に排出することができる。
【００５５】
また、本実施形態の調味料容器Ａは、把持部３を設けた閉止部１１、ノズル部１、容器本体部２が、全て一体形成されているので、一組の金型だけで容易に製造することができ、製造コストを安価に抑えることができる。
【００５６】
更に、容器本体部２は、収縮自在な素材で形成されているため、使用時には、使用者が容器本体部２を指で押し潰すだけで、当該容器本体部２の内部圧力が高められて、調味料Ｓをノズル部１先端の排出口から排出できる。
【００５７】
そのため、使用者は、調味料Ｓの残量に伴って、前記排出口付近にまで手を移動させる必要がないので、手を汚す恐れがなく、片手で簡単に調味料Ｓを排出することができる。
【００５８】
図３は、本発明の他の実施形態を示した調味料容器Ｂの正面図であり、図４は、図３の調味料容器Ｂをｂ−ｂ線で切断した状態の断面図である。
【００５９】
ここで、図１、図２と共通する部位には、同一の符号を付して、重複する説明については省略し、以下では、本実施形態の特徴について説明する。
【００６０】
この調味料容器Ｂは、図１、図２に記載された調味料容器Ａ２つが分離可能に連結されたことを特徴にしている。
【００６１】
具体的には、これら２つの調味料容器Ａは、夫々の容器本体部２の側壁が溶着して連結されており、この連結部分には、当該連結部分よりも薄肉に形成された切欠溝１２ａが、ノズル部１の軸方向に形成されている。
【００６２】
この調味料容器Ｂを使用するには、例えば、２つの調味料容器Ａの容器本体部２を両手で掴んで、夫々の容器本体部２を逆方向に回転すれば、切欠溝１２ａに沿って容器本体部２の前記連結部分が破断され、調味料容器Ａ２つを容易に分離できる。
【００６３】
なお、前記連結部分は例示であり、本実施形態に限定されるものではなく、例えば、容器本体部２の側壁の一部だけを点状に連結させて、この連結部分を破断するものでも良く、要は、調味料容器Ａ２つを確実に分離できる構造のものであれば採用される。
【００６４】
そして、分離された夫々の調味料容器Ａは、前述と同じ要領で、ノズル部１の先端から調味料Ｓ１、Ｓ２を排出することができる。
【００６５】
このように、本実施形態の調味料容器Ｂによれば、前記効果に加えて、図１で示した調味料容器Ａの略２倍の調味料Ｓ１、Ｓ２を、１つの調味料容器Ｂに充填できるので、使用者の好みに応じた量の調味料Ｓ１、Ｓ２を排出することができる。
【００６６】
また、本実施形態の調味料容器Ｂによれば、２種類の異なる調味料Ｓ１、Ｓ２を夫々の容器本体部２内に充填しておけば、使用者の好みに応じた種類の調味料Ｓ１、Ｓ２を選択することができる。
【００６７】
図５は、本発明の更に他の実施形態を示した調味料容器Ｃの斜視図であり、図６は、図５の調味料容器Ｃをｃ−ｃ線で切断した状態の断面図である。
【００６８】
ここで、図１〜図４と共通する部位には、同一の符号を付して、重複する説明については省略し、以下では、本実施形態の特徴について説明する。
【００６９】
本実施形態の調味料容器Ｃは、容器本体部２が、ノズル部１の軸方向へ収縮可能な蛇腹状に形成されている点に特徴がある。
【００７０】
具体的には、円板状に形成された基板１５の中央に貫通孔１６が開設され、この貫通孔１６の周縁から当該基板１５に対して直交方向にノズル部１が延設されている。
【００７１】
また、ノズル部１の先端には、前記と同じく当該先端を塞ぐ閉止部１１が形成されると共に、この閉止部１１の僅かに基端側の外周面には、内側に凹んだ切欠部１２が周方向に形成されている。
【００７２】
容器本体部２は、有底筒状に形成され、当該容器本体部２内には、例えば、とんかつソース・ケチャップ・マヨネーズ・味噌等のような粘度の高い調味料Ｓが充填されている。
【００７３】
そして、容器本体部２の開放側端縁２２と、ノズル部１の基板１５とが、図７の拡大断面図に示すように、既存の手段によって溶着され、これらノズル部１と容器本体部２とが一体形成されている。
【００７４】
このように形成された本実施形態の調味料容器Ｃは、前記と同じ要領で、把持部３を指で摘んで、閉止部１１をノズル部１から分離し、当該ノズル部１の先端に排出口を形成する。
【００７５】
そして、ノズル部１の先端を開放したうえで、図８の使用状態図に示すように、容器本体部２を片手で摘んだままで、ノズル部１の先端を所望の位置に向け、当該容器本体部２の基端（底壁）を親指で押圧すれば、蛇腹状の側壁２１が収縮されて、内部に充填されている調味料Ｓが、ノズル部１の先端からスムーズに排出されるのである。
【００７６】
このように本実施形態の調味料容器Ｃによれば、例えば、とんかつソース・ケチャップ・マヨネーズ・味噌等のような粘度の高い調味料Ｓであっても、当該調味料Ｓを片手だけで容易に排出することができる。
【００７７】
更に、本実施形態の容器本体部２は、収縮自在な蛇腹状に形成されているため、使用時には、使用者が容器本体部２の基端（底壁）を指で押し潰すだけで、当該容器本体部２の内部圧力が高められて、調味料Ｓをノズル部１先端の排出口から排出できる。
【００７８】
そのため、使用者は、調味料の残量に伴って、排出口付近にまで手を移動させる必要がないので、当該使用者の手を汚す恐れがなく、片手で簡単に調味料Ｓを排出できる。
【００７９】
また、容器本体部２は、基端（底壁）が、基板１５に近づく方向に収縮されるので、押圧部２内の調味料Ｓが残留されることがなく、当該調味料Ｓを確実に排出することができる。
【００８０】
しかも、調味料Ｓは、筒状のノズル部１の先端から排出されるので、当該調味料Ｓを目的に目掛けて確実に排出でき、目的以外の食材などに調味料Ｓが付着することも防止できる。
【００８１】
なお、調味料Ｓが、醤油等の液状の場合であっても前述と同様の効果が得られることは勿論であるが、本実施形態の調味料容器Ｃは、粘度の高い調味料Ｓの場合において、特に効果が発揮される。
【００８２】
図９は、本発明の更に他の実施形態を示した調味料容器Ｄの斜視図であり、図１０は、図９の調味料容器Ｄをｄ−ｄ線で切断した状態の断面図である。
【００８３】
ここで、図１〜図８と共通する部位には、同一の符号を付して、重複する説明については省略し、以下では、本実施形態の特徴について説明する。
【００８４】
この調味料容器Ｄは、図５〜図８で示した調味料容器Ｃ２つが分離可能に連結されたことを特徴とするものであり、本実施形態では、ノズル部１の先端同士が連結して一体形成された一例を示したものである。
【００８５】
只、本実施形態の調味料容器Ｄでは、ノズル部１の先端には、閉止部１１が設けられておらず、夫々のノズル部１の先端同士が直結されている点に特徴がある。
【００８６】
そのため、本実施形態の調味料容器Ｄによれば、２種類の異なる調味料Ｓ１、Ｓ２を夫々の容器本体部２内に充填しておき、使用する前に調味料容器Ｄをノズル部１の軸方向に振るか、或いは、夫々の容器本体部２を交互に押圧すれば、２種類の調味料Ｓ１、Ｓ２を混合することができる。
【００８７】
２種類の調味料Ｓ１、Ｓ２としては、例えば、ソースとマヨネーズ・わさびとマヨネーズ・からしとマヨネーズ・ケチャップとソース・ケチャップとマヨネーズ・からしとソース・サラダオイルと醤油、等を混合することができる。
【００８８】
そのため、本実施形態の調味料容器Ｄであれば、例えば、サラダドレッシング等のような油分を含んだ分離し易い調味料Ｓ１、Ｓ２であっても、これら２種類の調味料Ｓ１、Ｓ２を食事の直前に混合して提供することができる。
【００８９】
また、調味料Ｓ１、Ｓ２を、容器本体部２の半分程に夫々充填するなどして、容器本体部２内に余裕空間を形成しておけば、２種類の調味料Ｓ１、Ｓ２が夫々の容器本体部２の間で移動され易くなるため、粘度の高い２種類の調味料Ｓ１、Ｓ２であっても容易に混合できる。
【００９０】
図１１は、本発明の更に他の実施形態を示した調味料容器Ｅの斜視図であり、図１２は、図１１の調味料容器Ｅをｅ−ｅ線で切断した状態の断面図である。
【００９１】
ここで、図１〜図１０と共通する部位には、同一の符号を付して、重複する説明については省略し、以下では、本実施形態の特徴について説明する。
【００９２】
この調味料容器Ｅは、図５〜図８で示した調味料容器Ｃ２つが分離可能に連結されたことを特徴とするものであり、本実施形態では、ノズル部１の先端同士が連結して一体形成された他の例を示したものである。
【００９３】
本実施形態の調味料容器Ｅでは、２つの調味料容器Ｃの閉止部１１同士を連結したものを例示している。
【００９４】
只、本実施形態の調味料容器Ｅでは、把持片３がノズル部１の軸方向と直交する方向に延設されている点に特徴がある。
【００９５】
そのため、本実施形態の把持片３は、２つのノズル部１の間に配置されていても外部から指で容易に摘むことができる。
【００９６】
本実施形態の調味料容器Ｅによれば、前記した２種類の異なる調味料Ｓ１、Ｓ２を夫々の容器本体部２内に充填することができる。
【００９７】
そのため、使用者は、２つの容器本体部２の一方または双方の使用を選択することができ、使用者の好みに応じた調味料Ｓ１、Ｓ２を食事のときに選択して、容易に排出することができるのである。
【符号の説明】
【００９８】
Ａ〜Ｅ  調味料容器
１    ノズル部
１１    閉止部
１２    切欠部
１２ａ  切欠溝
２    容器本体部
３    把持片
【図１】
2011178441.tif 000003
【図２】
2011178441.tif 000004
【図３】
2011178441.tif 000005
【図４】
2011178441.tif 000006
【図５】
2011178441.tif 000007
【図６】
2011178441.tif 000008
【図７】
2011178441.tif 000009
【図８】
2011178441.tif 000010
【図９】
2011178441.tif 000011
【図１０】
2011178441.tif 000012
【図１１】
2011178441.tif 000013
【図１２】
2011178441.tif 000014